(57)【要約】【課題】ガイド孔を通過してから撚口ダイスに導入されるまでの間にケーブルが予め設定した導入軌道からズレることを防止し、適切な撚り合わせを実施することが可能な多芯ケーブルの製造装置及びその製造方法を提供する。【解決手段】回転軸Ｘの周囲にケーブル１０１をガイドする複数のガイド孔１０２が形成された撚線機１０３と、ガイド孔１０２を通過して撚線機１０３から予め設定した導入軌道Ｏ1で導入された複数本のケーブル１０１を撚り合わせる撚口ダイス１０４と、を備える多芯ケーブルの製造装置１００において、撚線機１０３と撚口ダイス１０４との間に配置され、導入軌道Ｏ1に沿う形状に形成された導入軌道ガイド部材１０５を更に備えるものである。また、多芯ケーブルの製造方法において、撚線機１０３と撚口ダイス１０４との間に導入軌道Ｏ1に沿う形状に形成された導入軌道ガイド部材１０５を配置するものである。【選択図】図１
2014136839.tif 000002
【特許請求の範囲】
【請求項１】
回転軸の周囲にケーブルをガイドする複数のガイド孔が形成された撚線機と、
前記ガイド孔を通過して前記撚線機から予め設定した導入軌道で導入された複数本の前記ケーブルを撚り合わせる撚口ダイスと、
を備える多芯ケーブルの製造装置において、
前記撚線機と前記撚口ダイスとの間に配置され、前記導入軌道に沿う形状に形成された導入軌道ガイド部材を更に備えることを特徴とする多芯ケーブルの製造装置。
【請求項２】
前記撚線機の前段に配置され、互いに平行を維持した送出軌道で前記ケーブルを前記ガイド孔に送り出す送出軌道ガイド部材を更に備える請求項１に記載の多芯ケーブルの製造装置。
【請求項３】
複数本の前記ケーブルの撚り合わせ形状を固定する押さえテープを前記撚口ダイスに導入する押さえテープ供給装置を更に備える請求項１又は２に記載の多芯ケーブルの製造装置。
【請求項４】
回転する撚線機から予め設定した導入軌道で複数本のケーブルを撚口ダイスに導入して複数本の前記ケーブルを撚り合わせる多芯ケーブルの製造方法において、
前記撚線機と前記撚口ダイスとの間に前記導入軌道に沿う形状に形成された導入軌道ガイド部材を配置することを特徴とする多芯ケーブルの製造方法。
【請求項５】
前記撚線機の前段に互いに平行を維持した送出軌道で前記ケーブルを前記ガイド孔に送り出す送出軌道ガイド部材を配置する請求項４に記載の多芯ケーブルの製造方法。
【請求項６】
複数本の前記ケーブルの撚り合わせ形状を固定する押さえテープを前記撚口ダイスに導入する押さえテープ供給装置を配置する請求項４又は５に記載の多芯ケーブルの製造方法。
【発明の詳細な説明】
【技術分野】
【０００１】
本発明は、複数本のケーブルを撚り合わせて多芯ケーブルを製造するための多芯ケーブルの製造装置及びその製造方法に関する。
【背景技術】
【０００２】
一般に、複数本のケーブルを集合させて多芯ケーブルを製造する際には、多芯ケーブルの可撓性や耐屈曲性を向上させるため、複数本のケーブルを撚り合わせて多芯ケーブルとすることがなされている。
【０００３】
図３に示すように、従来技術に係る多芯ケーブルの製造装置（以下、単に製造装置という）２００としては、回転軸Ｘの周囲にケーブル２０１をガイドする複数のガイド孔２０２が形成された撚線機２０３と、ガイド孔２０２を通過して撚線機２０３から予め設定した導入軌道Ｏ1で導入された複数本のケーブル２０１を撚り合わせる撚口ダイス２０４と、を主に備えるものが知られている。
【０００４】
この製造装置２００では、先ず、複数の送出機２０５のそれぞれからケーブル２０１を撚線機２０３のガイド孔２０２に送り出し、回転軸Ｘを中心として撚線機２０３を回転させ、ガイド孔２０２を通過して撚口ダイス２０４に導入される複数本のケーブル２０１を撚り合わせることで、多芯ケーブル基体２０６を製造する。
【０００５】
その後、撚口ダイス２０４の後段に配置された回転ダイス２０７で、複数本のケーブル２０１の撚り合わせ形状を固定する押さえテープ２０８やケーブル２０１を識別するための識別テープ２０９を巻き付けて多芯ケーブル２１０を製造し、これを巻取機２１１で巻き取る。
【先行技術文献】
【特許文献】
【０００６】
【特許文献１】特開平５−１２８９２３号公報
【特許文献２】特開平６−１１６８８４号公報
【発明の概要】
【発明が解決しようとする課題】
【０００７】
しかしながら、従来技術に係る製造装置２００では、ケーブル２０１が、ガイド孔２０２を通過してから撚口ダイス２０４に導入されるまでの間に何ら拘束されていないので、予め設定した導入軌道Ｏ1からズレて、撚口ダイス２０４での撚り合わせに支障を来すことがあった。
【０００８】
そこで、本発明の目的は、ガイド孔を通過してから撚口ダイスに導入されるまでの間にケーブルが予め設定した導入軌道からズレることを防止し、適切な撚り合わせを実施することが可能な多芯ケーブルの製造装置及びその製造方法を提供することにある。
【課題を解決するための手段】
【０００９】
この目的を達成するために創案された本発明は、回転軸の周囲にケーブルをガイドする複数のガイド孔が形成された撚線機と、前記ガイド孔を通過して前記撚線機から予め設定した導入軌道で導入された複数本の前記ケーブルを撚り合わせる撚口ダイスと、を備える多芯ケーブルの製造装置において、前記撚線機と前記撚口ダイスとの間に配置され、前記導入軌道に沿う形状に形成された導入軌道ガイド部材を更に備える多芯ケーブルの製造装置である。
【００１０】
前記撚線機の前段に配置され、互いに平行を維持した送出軌道で前記ケーブルを前記ガイド孔に送り出す送出軌道ガイド部材を更に備えると良い。
【００１１】
複数本の前記ケーブルの撚り合わせ形状を固定する押さえテープを前記撚口ダイスに導入する押さえテープ供給装置を更に備えると良い。
【００１２】
また、本発明は、回転する撚線機から予め設定した導入軌道で複数本のケーブルを撚口ダイスに導入して複数本の前記ケーブルを撚り合わせる多芯ケーブルの製造方法において、前記撚線機と前記撚口ダイスとの間に前記導入軌道に沿う形状に形成された導入軌道ガイド部材を配置する多芯ケーブルの製造方法である。
【００１３】
前記撚線機の前段に互いに平行を維持した送出軌道で前記ケーブルを前記ガイド孔に送り出す送出軌道ガイド部材を配置すると良い。
【００１４】
複数本の前記ケーブルの撚り合わせ形状を固定する押さえテープを前記撚口ダイスに導入する押さえテープ供給装置を配置すると良い。
【発明の効果】
【００１５】
本発明によれば、ガイド孔を通過してから撚口ダイスに導入されるまでの間にケーブルが予め設定した導入軌道からズレることを防止し、適切な撚り合わせを実施することが可能な多芯ケーブルの製造装置及びその製造方法を提供することができる。
【図面の簡単な説明】
【００１６】
【図１】本発明に係る多芯ケーブルの製造装置を示す概略側面図及びその要部の概略斜視図である。
【図２】導入軌道ガイド部材を示す概略斜視図である。
【図３】従来技術に係る多芯ケーブルの製造装置を示す概略側面図である。
【発明を実施するための形態】
【００１７】
以下、本発明の好適な実施の形態を添付図面にしたがって説明する。
【００１８】
先ず、本実施の形態に係る多芯ケーブルの製造装置について説明する。
【００１９】
図１に示すように、本実施の形態に係る多芯ケーブルの製造装置（以下、単に製造装置という）１００は、回転軸Ｘの周囲にケーブル１０１をガイドする複数（図では５つ）のガイド孔１０２が形成された撚線機１０３と、ガイド孔１０２を通過して撚線機１０３から予め設定した導入軌道Ｏ1で導入された複数本（図では５本）のケーブル１０１を撚り合わせる撚口ダイス１０４と、を備えるものであり、撚線機１０３と撚口ダイス１０４との間に配置され、導入軌道Ｏ1に沿う形状に形成された導入軌道ガイド部材１０５を更に備えることを特徴とする。
【００２０】
ケーブル１０１は、特に構成が限定されるものではないが、例えば、４本の絶縁ケーブルを撚り合わせたカッド撚線からなる。本実施の形態では、カッド撚線からなる５本のケーブル１０１を撚り合わせて、１０ペアユニットの多芯ケーブル１１６を製造するものとした。
【００２１】
ガイド孔１０２は、回転軸Ｘを中心とする円周上に形成されている。撚口ダイス１０４は、その中心が回転軸Ｘと一致するように配置されていることから、ガイド孔１０２が回転軸Ｘを中心とする円周上に形成されることによって、ガイド孔１０２を通過してから撚口ダイス１０４に導入されるまでの間に全てのケーブル１０１の導入軌道Ｏ1が回転軸Ｘに対して同一の角度θ1を成すようになる。
【００２２】
撚線機１０３は、回転軸Ｘを中心として回転し、固定されるか又は撚線機１０３と反対向きに回転する撚口ダイス１０４と組み合わされて、複数本のケーブル１０１を撚り合わせる。
【００２３】
撚口ダイス１０４は、ガイド孔１０２を通過してきた複数本のケーブル１０１を集合し、撚線機１０３の回転力（及び自身の回転力）によって、複数本のケーブル１０１を撚り合わせる。
【００２４】
この撚線機１０３と撚口ダイス１０４とによって、複数本のケーブル１０１が撚り合わされた多芯ケーブル基体（図示せず）が製造される。
【００２５】
図２に示すように、導入軌道ガイド部材１０５は、回転軸Ｘを中心点として点対称な形状に形成されており、例えば、導入軌道Ｏ1に沿う形状に形成された円錐部１０６と、円錐部１０６と撚線機１０３とを接続する円筒部１０７と、を備える。
【００２６】
円錐部１０６は、側面が導入軌道Ｏ1に沿う形状に形成されているため、円錐部１０６の母線Ｌと回転軸Ｘとが成す角度θ2は角度θ1に略一致する。
【００２７】
また、円錐部１０６は、頂点１０８が撚口ダイス１０４の導入口（図示せず）の直近まで伸びている。これにより、複数本のケーブル１０１が撚口ダイス１０４に導入される直前まで円錐部１０６の側面に沿ってガイドされる。
【００２８】
なお、円錐部１０６の側面に複数本のケーブル１０１のそれぞれをガイドする複数のガイド溝を形成しても良い。
【００２９】
円筒部１０７は、撚線機１０３と一体的に円錐部１０６を回転させる。これにより、円錐部１０６と複数本のケーブル１０１とが同一の回転速度で回転軸Ｘを中心として回転するため、相対的な位置関係が変化せず、ケーブル１０１に余計な力が加わる等してケーブル１０１が導入軌道Ｏ1からズレることは無い。
【００３０】
円錐部１０６と円筒部１０７との接続部１０９は、Ｒ面取加工が施されていることが好ましい。その理由は、撚口ダイス１０４に導入されるケーブル１０１と接続部１０９とが接触したときに、ケーブル１０１の表面が削れて損傷することを防止できるからである。
【００３１】
再び図１を参照し、製造装置１００は、撚線機１０３の前段に配置され、互いに平行を維持した送出軌道Ｏ2でケーブル１０１をガイド孔１０２に送り出す送出軌道ガイド部材１１０と、複数本のケーブル１０１の撚り合わせ形状を固定する押さえテープ１１１を撚口ダイス１０４に導入する押さえテープ供給装置１１２と、を更に備える。
【００３２】
送出軌道ガイド部材１１０は、撚線機１０３のガイド孔１０２と対応する位置に形成された貫通孔１１３を備え、送出軌道ガイド部材１１０を撚線機１０３と一体的に回転させる接続部材１１４を介して撚線機１０３と接続される。
【００３３】
これにより、互いに平行を維持した送出軌道Ｏ2でケーブル１０１が送出機１１５からガイド孔１０２に送り出され、ケーブル１０１の軌道が安定し、撚り合わせを阻害するような余計な力がケーブル１０１に加わることは無い。
【００３４】
なお、送出機１１５は、送り出されるケーブル１０１が撚線機１０３の回転に伴って捩れることが無いように、回転軸Ｘを中心として回転する。
【００３５】
テープ供給装置１１２は、複数本のケーブル１０１と押さえテープ１１１とが同時に撚口ダイス１０４に導入されるように、押さえテープ１１１を撚口ダイス１０４に導入する。
【００３６】
これにより、多芯ケーブル基体が製造されるのと同時に押さえテープ１１１が巻き付けられて、複数本のケーブル１０１の撚り合わせ形状が固定されるため、撚り合わせ形状の崩れが無く撚りピッチが均一な多芯ケーブル１１６を製造することができる。
【００３７】
更に、テープ供給装置１１２以外の供給装置１１７を配置し、ケーブル１０１を識別するための識別テープ１１８等を複数本のケーブル１０１と同時に撚口ダイス１０４に導入するようにしても良い。
【００３８】
なお、本実施の形態に係る製造装置１００は、従来技術に係る製造装置２００と同様に、多芯ケーブル１１６を巻き取る巻取機１１９を備える。
【００３９】
次に、本実施の形態に係る多芯ケーブルの製造方法について説明する。
【００４０】
本実施の形態に係る多芯ケーブルの製造方法は、製造装置１００を用いて多芯ケーブル１１６を製造する方法であり、回転する撚線機１０３から予め設定した導入軌道Ｏ1で複数本のケーブル１０１を撚口ダイス１０４に導入して複数本のケーブル１０１を撚り合わせる際に、撚線機１０３と撚口ダイス１０４との間に導入軌道Ｏ1に沿う形状に形成された導入軌道ガイド部材１０５を配置することを特徴とする。
【００４１】
更に、撚線機１０３の前段に互いに平行を維持した送出軌道Ｏ2でケーブル１０１をガイド孔１０２に送り出す送出軌道ガイド部材１１０を配置し、複数本のケーブル１０１の撚り合わせ形状を固定する押さえテープ１１１を撚口ダイス１０４に導入する押さえテープ供給装置１１２を配置しても良い。
【００４２】
これまで説明してきた本発明によれば、撚線機１０３と撚口ダイス１０４との間に配置された導入軌道ガイド部材１０５によって、ガイド孔１０２を通過してから撚口ダイス１０４に導入されるまでの間にケーブル１０１が予め設定した導入軌道Ｏ1からズレることを防止し、適切な撚り合わせを実施することが可能となる。
【００４３】
また、送出機１１５と撚線機１０３との間に配置された送出軌道ガイド部材１１０によって、互いに平行を維持した送出軌道Ｏ2でケーブル１０１が送出機１１５からガイド孔１０２に送り出されるため、ケーブル１０１の軌道が安定し、撚り合わせを阻害するような余計な力がケーブル１０１に加わらず、より適切な撚り合わせを実施することが可能となる。
【００４４】
更に、従来技術に係る製造装置１００では、ケーブル２０１を撚り合わせる撚口ダイス２０４と押さえテープ２０８等を巻き付ける回転ダイス２０７とが別体であることから、多芯ケーブル基体２０６が撚口ダイス２０４から回転ダイス２０７に送り出されるまでの間に、複数本のケーブル２０１の撚り合わせ形状が崩れて撚りピッチが不均一になり、その状態で撚り合わせ形状が固定されてしまうことがあった。
【００４５】
これに対して、本発明では、複数本のケーブル１０１の撚り合わせと撚り合わせ形状の固定とを同時に実施しているので、従来と比較して均一な撚りピッチの多芯ケーブル１１６を得ることができる。
【００４６】
なお、カッド撚線のような外径が大きなケーブル１０１は質量も大きいため、送り出しがハンチングした場合等、ケーブル１０１が予め設定した導入軌道Ｏ1や送出軌道Ｏ2からズレて暴れるようなことがあると、撚口ダイス１０４に大きな力が加わり、撚り合わせに支障を来す可能性が高くなる。
【００４７】
このような場合であっても、本発明によれば、ケーブル１０１が予め設定した導入軌道Ｏ1や送出軌道Ｏ2からズレることを防止し、適切な撚り合わせを実施することが可能である。
【符号の説明】
【００４８】
１００  製造装置
１０１  ケーブル
１０２  ガイド孔
１０３  撚線機
１０４  撚口ダイス
１０５  導入軌道ガイド部材
１０６  円錐部
１０７  円筒部
１０８  頂点
１０９  接続部
１１０  送出軌道ガイド部材
１１１  押さえテープ
１１２  テープ供給装置
１１３  貫通孔
１１４  接続部材
１１５  送出機
１１６  多芯ケーブル
１１７  供給装置
１１８  識別テープ
１１９  巻取機
【図１】
2014136839.tif 000003
【図２】
2014136839.tif 000004
【図３】
2014136839.tif 000005